(57)【特許請求の範囲】
【請求項１】
固定板と、留め具と、
内装材とから構成されており、
上記固定板が、接触面と、誘導部とを備えており、
上記接触面が平滑であり、
上記誘導部が、表側から裏側に向かって貫通する孔、又は、表側から裏側に向かって窪んだ凹みであり、
上記留め具が、先端に向かってまっすぐに延在するねじ部を備えており、
上記内装材が、せっこうボード又は発泡シートからなり、
この固定板の接触面が、この内装材にあてがわれ、
この留め具が、この固定板の誘導部を通じてこの内装材に通されこの内装材に固定されうる内装材への留め具の取り付け構造。
【請求項２】
上記固定板に、上記誘導部が複数設けられており、
この固定板が、上記誘導部の数と同数の上記留め具で上記内装材に固定される、請求項１に記載の取り付け構造。
【請求項３】
平滑な接触面と、誘導部とを備えており、
上記誘導部が、表側から裏側に向かって貫通する孔、又は、表側から裏側に向かって窪んだ凹みであり、
先端に向かってまっすぐに延在するねじ部を備える留め具がせっこうボード又は発泡シートからなる内装材に取り付けられるとき、
この接触面が、この内装材にあてがわれ、
この留め具が、この誘導部を通じてこの内装材に通されこの内装材に固定されうる固定板。
【請求項４】
上記誘導部が複数設けられており、
この誘導部の数と同数の留め具で上記内装材に固定される、請求項３に記載の固定板。
【発明の詳細な説明】
【技術分野】
【０００１】
本発明は、内装材への留め具の取り付け構造に関する。
【背景技術】
【０００２】
室内の壁及び天井に、時計、タオル掛け等が取り付けられる場合、ねじ及び釘のような留め具が用いられる。
【０００３】
家屋の内装材には、主としてせっこうボードが使用されている。このため、上記留め具はせっこうボードに取り付けられることが多い。なお、せっこうボードは、例えば、壁の間柱に釘等を用いて貼り付けられる。
【０００４】
図５は、従来の留め具２が壁４に取り付けられている状況が示された側面図である。この留め具２は、ねじ部６とフック部８とを備えている。この留め具２は、ねじ付きフックである。図示されているように、この留め具２のねじ部６が、内装材としてのせっこうボード１０にねじ込まれ固定されている。図示されていないが、このフック部８に、ハンガー等の物品が掛けられる。
【０００５】
上記フック部８に物品が掛けられると、この物品の自重が留め具２を介してせっこうボード１０に作用する。せっこうボード１０は、半水せっこう等に適量の水を加えて練り混ぜたものをしんとし、その両面がせっこうボード用原紙で被覆されて成形される。このようなせっこうボード１０は、脆いので、上記作用によりせっこうボード１０のこのねじ部６に接触する部分が簡単に砕けてしまう。この粉砕により、ねじ部６とせっこうボード１０との間に隙間が形成される。この隙間の形成は、この留め具２のせっこうボード１０からの脱落を促す。せっこうボード１０に留め具２を固定した状態で安定に保持することは、容易ではない。せっこうボード１０に固定されうる留め具２について、種々な検討がなされている。この検討例が、特開平１１−２０６５４７号公報及び特開２００６−３４５９９公報に開示されている。
【０００６】
脱落防止の観点から、留め具２は通常、せっこうボード１０を介して上記間柱にねじ込まれ固定される。ところで、間柱は、せっこうボード１０の外側に位置している。このため、この間柱を直接視認することはできない。したがって、この固定に際しては、間柱の位置が予め確認される。この確認方法としては、細い針がせっこうボード１０に突き通された際に受ける手の感覚で判断する方法、超音波探傷による方法、せっこうボード１０の打診による方法等が例示される。
【特許文献１】特開平１１−２０６５４７号公報
【特許文献２】特開２００６−３４５９９公報
【発明の開示】
【発明が解決しようとする課題】
【０００７】
上記確認方法により上記間柱の位置を確認するためには、例えば針、超音波探傷機等の道具が必要とされる。このような道具をそろえるには、費用の発生が伴う。せっこうボード１０の打診により間柱の位置を確認するためには、作業者の経験が必要とされる。この間柱の位置確認は、容易ではない。
【０００８】
間柱は、所定の間隔を空けて配置されている。この間柱を利用した固定方法では、留め具２の固定位置が制限される。この固定方法では、留め具２を好みの位置に固定することはできない。
【０００９】
留め具２を好みの位置で固定するためには、例えば、留め具２の固定を予定する位置に配置されるせっこうボード１０が合板等に取り替えられる。この取り替え作業を素人が実施するのは、容易ではない。この取り替え作業には、多大な費用が発生してしまう。
【００１０】
本発明の目的は、留め具が好みの位置に簡単でかつ確実に固定されうる内装材への留め具の取り付け構造の提供にある。
【課題を解決するための手段】
【００１１】
本発明に係る内装材への留め具の取り付け構造は、固定板と、留め具と、内装材とから構成されている。この固定板はこの内装材にあてがわれる。この留め具は、この固定板を介してこの内装材に通され固定されうる。
【００１２】
好ましくは、この取り付け構造では、上記内装材は、せっこうボード又は発泡シートからなる。
【００１３】
本発明に係る固定板は、接触面と、誘導部とを備えている。留め具が内装材に取り付けられるとき、この接触面は、この内装材にあてがわれる。この留め具はこの誘導部を通じてこの内装材に通され、この内装材に固定されうる。
【発明の効果】
【００１４】
本発明に係る内装材への留め具の取り付け構造が用いられることにより、留め具はせっこうボードのような内装材に簡単にかつ確実に固定されうる。この留め具が固定されている状態が、安定に保持されうる。この取り付け構造では、留め具の脱落が防止されうる。この取り付け構造では、留め具を固定する位置が制限されないので、留め具は好みの位置に取り付けられうる。
【発明を実施するための最良の形態】
【００１５】
以下、適宜図面が参照されつつ、好ましい実施形態に基づいて本発明が詳細に説明される。
【００１６】
図１は、本発明の一実施形態に係る内装材１２への留め具１４の取り付け構造が示された側面図である。この図１には、固定板１６を用いて留め具１４が内装材１２に取り付けられている状況が示されている。この取り付け構造は、内装材１２、留め具１４及び固定板１６から構成される。
【００１７】
内装材１２は、家屋の壁及び天井を構成する建築用資材である。本明細書では、脆弱な素材からなる建築用資材が内装材１２として示される。このような内装材１２として、せっこうボード及び発泡シートが例示される。せっこうボードは、半水せっこう等に適量の水を加えて練り混ぜたものをしんとし、その両面がせっこうボード用原紙で被覆されて成形されるボードである。発泡シートは、多数の気泡を含む合成高分子からなるシートである。
【００１８】
留め具１４は、ねじ部１８とフック部２０とを備えている。この留め具１４は、ねじ付きフックである。この取り付け構造では、この留め具１４として、このねじ付きフック以外に、釘、ねじ等も使用できる。
【００１９】
図２は、図１の取り付け構造を構成する固定板１６が示された斜視図である。この固定板１６は、略矩形のプレートである。この固定板１６が、円盤状のプレートとされてもよい。この固定板１６は、接触面２２と、誘導部２４とを備えている。接触面２２は、固定板１６の裏面である。この接触面２２は、平滑である。誘導部２４は、この固定板１６の表側から裏側に向かって貫通する孔である。この誘導部２４が、固定板１６の表側から裏側に向かって窪んだ凹みとされてもよい。なお、図２に示されているように、この固定板１６は１の誘導部２４を備えている。
【００２０】
この取り付け構造では、固定板１６の接触面２２が内装材１２にあてがわれる。留め具１４のねじ部１８が、誘導部２４に通される。このねじ部１８は、この誘導部２４においてこの固定板１６にねじ込まれる。このねじ部１８は、固定板１６を貫通すると、この固定板１６の外側に位置する内装材１２にさらにねじ込まれる。留め具１４は、この誘導部２４を通じてこの内装材１２に通される。この取り付け構造では、このようにして留め具１４はこの固定板１６を介して内装材１２に固定される。
【００２１】
この取り付け構造では、接触面２２が内装材１２に接触されている。この接触は、留め具１４のぐらつきを抑制しうる。このため、留め具１４のフック部２０に物品が掛けられた場合において、物品の自重に起因して発生しこの留め具１４を介して内装材１２に作用する力が抑えられる。この力の抑制は、内装材１２の粉砕を抑えうる。この取り付け構造によれば、留め具１４は内装材１２に確実に固定され、この固定された状態が安定に保持されうる。
【００２２】
この取り付け構造では、固定板１６は荷重が掛けられると変形し、この荷重が除去されると復元しうるように構成されているのが好ましい。変形復元性を有する固定板１６は、誘導部２４に挿通された留め具１４の締め付けに寄与しうる。このような固定板１６は、留め具１４の固定板１６に対するぐらつきを効果的に抑制しうる。留め具１４による内装材１２の粉砕が抑制されるので、留め具１４は内装材１２に確実に固定され、この固定された状態が安定に保持されうる。この観点から、この固定板１６は、弾性材料からなるのが好ましい。この弾性材料としては、木材及び合成高分子が例示される。形状復元性の観点から、合成高分子が好ましい。加工性の観点から、この合成高分子としては、熱可塑性高分子が好ましい。この熱可塑性高分子としては、ポリ塩化ビニル、ポリスチレン、ポリエチレン、ポリプロピレン及びナイロンが例示される。汎用性の観点から、これら熱可塑性樹脂のうちポリ塩化ビニルが特に好ましい。
【００２３】
この取り付け構造では、誘導部２４の外径（図２中のＤＡ）は、この誘導部２４を通される留め具１４のねじ部１８の外径よりも小さい。この誘導部２４にねじ部１８が通されたとき、このねじ部１８と誘導部２４とが密着されるので、留め具１４は固定板１６にしっかり固定される。この取り付け構造では、留め具１４の、固定板１６に対するぐらつきが抑制されている。留め具１４による内装材１２の粉砕が抑制されるので、留め具１４は内装材１２に確実に固定され、この固定された状態が安定に保持されうる。
【００２４】
この取り付け構造では、留め具１４は内装材１２に簡単にかつ確実に固定されうる。この取り付け構造では、留め具１４の固定のために間柱を利用する必要はない。この取り付け構造が用いられることにより、利用者は、例えば、この内装材１２で構成される壁の、好みの位置に留め具１４を簡単に固定できる。
【００２５】
この取り付け構造では、固定板１６の接触面２２に接着剤が塗布されていてもよい。このような固定板１６が用いられることにより、固定板１６の、内装材１２への付着が促される。この付着により固定板１６の位置が保持されるので、留め具１４が容易に取り付けられうる。この接着剤の使用は、作業効率の向上に寄与しうる。
【００２６】
図２において、両矢印線ＴＡは固定板１６の厚みを表している。両矢印線ＷＡは、固定板１６の縦の長さを表している。両矢印線ＷＢは、固定板１６の横の長さを表している。
【００２７】
この取り付け構造では、厚みＴＡは０．２ｍｍ以上５ｍｍ以下であるのが好ましい。この厚みＴＡが０．２ｍｍ以上に設定されることにより、留め具１４の、固定板１６に対するぐらつきが抑制される。留め具１４の、内装材１２に対するぐらつきが効果的に抑制されるので、留め具１４による内装材１２の粉砕が抑えられる。この取り付け構造では、留め具１４は内装材１２に確実に固定され、この固定された状態が安定に保持される。この観点から、この厚みＴＡは０．５ｍｍ以上がより好ましい。この厚みＴＡが５ｍｍ以下に設定されることにより、留め具１４が効率よく取り付けられうる。この観点から、この厚みＴＡは、３ｍｍ以下がより好ましく、１ｍｍ以下が特に好ましい。
【００２８】
この取り付け構造では、縦の長さＷＡは１ｃｍ以上であるのが好ましい。この長さＷＡが１ｃｍ以上に設定されることにより、留め具１４の、内装材１２に対するぐらつきが効果的に抑制される。留め具１４による内装材１２の粉砕が抑制されるので、留め具１４は内装材１２に確実に固定され、この固定された状態が安定に保持される。なお、この長さＷＡの上限は、この取り付け構造により固定される部材の仕様等が考慮されて決められる。
【００２９】
この取り付け構造では、横の長さＷＢは１ｃｍ以上であるのが好ましい。この長さＷＢが１ｃｍ以上に設定されることにより、留め具１４の、内装材１２に対するぐらつきが効果的に抑制される。留め具１４による内装材１２の粉砕が抑制されるので、留め具１４は内装材１２に確実に固定され、この固定された状態が安定に保持される。なお、この長さＷＢの上限は、この取り付け構造により固定される部材の仕様等が考慮されて決められる。
【００３０】
図３（ａ）は本発明の他の実施形態に係る内装材１２への留め具１４の取り付け構造が示された正面図であり、図３（ｂ）はその側面図である。この取り付け構造は、内装材１２、複数の留め具１４及び固定板２６から構成される。図示されているように、この取り付け構造では、これら留め具１４として、１のねじ付きフック１４ａと、４のねじ１４ｂが設けられている。内装材１２は、せっこうボードである。
【００３１】
固定板２６は、略矩形のプレートである。この固定板２６は、弾性材料からなる。この固定板２６の材質は、ポリ塩化ビニルである。この固定板２６は、接触面２８と、複数の誘導部３０とを備えている。前述したように、この取り付け構造には５の留め具１４が設けられているので、この固定板２６にも５の誘導部３０が設けられている。誘導部３０は、この固定板２６の表側から裏側に向かって貫通する孔である。
【００３２】
この取り付け構造では、固定板２６の接触面２８が内装材１２にあてがわれる。５の留め具１４のそれぞれは、各誘導部３０に通され、この固定板２６にねじ込まれる。この留め具１４は、固定板２６を貫通すると、この固定板２６の外側に位置する内装材１２にさらにねじ込まれる。留め具１４は、この誘導部３０を通じてこの内装材１２に通される。この取り付け構造では、このようにして留め具１４はこの固定板２６を介して内装材１２に固定されうる。
【００３３】
この取り付け構造では、接触面２８が内装材１２に接触されている。この接触は、留め具１４のぐらつきを抑制しうる。このため、留め具１４ａのフック部２０に物品が掛けられても、この留め具１４による内装材１２の粉砕が抑制される。この取り付け構造によれば、留め具１４は内装材１２に確実に固定され、この固定された状態が安定に保持される。
【００３４】
この取り付け構造では、固定板２６は変形復元性を有しているので、誘導部３０に挿通された留め具１４の締め付けに寄与しうる。このような固定板２６は、留め具１４の固定板２６に対するぐらつきを効果的に抑制しうる。留め具１４による内装材１２の粉砕が抑制されるので、留め具１４は内装材１２に確実に固定され、この固定された状態が安定に保持される。
【００３５】
図示されていないが、この取り付け構造では、誘導部３０の外径は、この誘導部３０を通される留め具１４の外径よりも小さい。この誘導部３０に留め具１４が通されたとき、この留め具１４と誘導部３０とが密着されるので、留め具１４は固定板２６にしっかり固定される。この取り付け構造では、留め具１４の、固定板２６に対するぐらつきが抑制されている。留め具１４による内装材１２の粉砕が抑制されるので、留め具１４は内装材１２に確実に固定され、この固定された状態が安定に保持される。
【００３６】
この取り付け構造では、留め具１４は内装材１２に簡単にかつ確実に固定されうる。この取り付け構造では、留め具１４の固定のために間柱を利用する必要はない。この取り付け構造が用いられることにより、利用者は、例えば、この内装材１２で構成される壁の、好みの位置に留め具１４を簡単に固定できる。
【００３７】
図４（ａ）は本発明のさらに他の実施形態に係る内装材１２への留め具１４の取り付け構造が示された正面図であり、図４（ｂ）はその側面図である。この取り付け構造は、内装材１２、複数の留め具１４及び固定板３２から構成される。この図４には、この取り付け構造により、内装材１２に取り付けられているタオル掛け３４の一部も示されている。図示されているように、この留め具１４は、ねじである。内装材１２は、せっこうボードである。
【００３８】
固定板３２は、略矩形のプレートである。この固定板３２は、弾性材料からなる。この固定板３２の材質は、ポリ塩化ビニルである。図示されているように、この固定板３２の一部は、後述するタオル掛け３４のブラケット３６からはみ出している。見た目が考慮されて、この固定板３２の全体がこのブラケット３６により覆われるように、この固定板３２の大きさが調整されてもよい。
【００３９】
固定板３２は、接触面３８と、２の誘導部４０とを備えている。これら誘導部４０のそれぞれは、この固定板３２の表側から裏側に向かって貫通する孔である。
【００４０】
タオル掛け３４は、市販品である。このタオル掛け３４は、一対の、前述したブラケット３６と、タオルが掛けられる支柱４２とを備えている。これらブラケット３６は、支柱４２を支持しうる。これらブラケット３６のそれぞれには、留め具１４が挿通される２の挿通孔４４が設けられている。
【００４１】
この取り付け構造では、固定板３２の接触面３８が内装材１２にあてがわれる。この固定板３２の表面に、ブラケット３６の裏面がさらにあてがわれる。２の留め具１４のそれぞれが、このブラケット３６の挿通孔４４から誘導部４０に通され、固定板３２にねじ込まれる。この留め具１４は、固定板３２を貫通すると、この固定板３２の外側に位置する内装材１２にさらにねじ込まれる。この取り付け構造では、留め具１４はブラケット３６及び固定板３２を介して内装材１２に固定されうる。このようにして、この取り付け構造を用いて、タオル掛け３４が内装材１２に固定されうる。なお、この取り付け構造では、留め具１４がブラケット３６を介せず固定板３２を介して内装材１２に固定されてもよい。この場合、ブラケット３６の裏面に接着剤が付けられ、このブラケット３６の裏面と固定板３２の表面とが接着されて、このブラケット３６がこの固定板３２に固定される。
【００４２】
この取り付け構造では、接触面３８が内装材１２に接触されている。この接触が留め具１４のぐらつきを抑制しうるので、この留め具１４による内装材１２の粉砕が抑制される。この取り付け構造によれば、留め具１４は内装材１２に確実に固定され、この固定された状態が安定に保持される。したがって、タオル掛け３４が取り付けられた状態が安定に保持されうる。
【００４３】
この取り付け構造では、固定板３２は変形復元性を有しているので、誘導部４０に挿通された留め具１４の締め付けに寄与しうる。このような固定板３２は、留め具１４の固定板３２に対するぐらつきを効果的に抑制しうる。留め具１４による内装材１２の粉砕が抑制されるので、留め具１４は内装材１２に確実に固定され、この固定された状態が安定に保持される。したがって、タオル掛け３４が取り付けられた状態が安定に保持されうる。
【００４４】
図示されていないが、この取り付け構造では、誘導部４０の外径は、この誘導部４０を通される留め具１４の外径よりも小さい。この誘導部４０に留め具１４が通されたとき、この留め具１４と誘導部４０とが密着されるので、留め具１４は固定板３２にしっかり固定される。この取り付け構造では、留め具１４の、固定板３２に対するぐらつきが抑制されている。留め具１４による内装材１２の粉砕が抑制されるので、留め具１４は内装材１２に確実に固定され、この固定された状態が安定に保持される。したがって、タオル掛け３４が取り付けられた状態が安定に保持されうる。
【００４５】
この取り付け構造では、留め具１４は内装材１２に簡単にかつ確実に固定されうる。この取り付け構造では、留め具１４の固定のために間柱を利用する必要はない。この取り付け構造が用いられることにより、利用者は、例えば、この内装材１２で構成される壁の、好みの位置にタオル掛け３４を留め具１４を用いて簡単に固定できる。
【産業上の利用可能性】
【００４６】
本発明は、留め具を用いて壁に取り付けられる様々な物品に適用されうる。
【図面の簡単な説明】
【００４７】
【図１】図１は、本発明の一実施形態に係る内装材への留め具の取り付け構造が示された側面図である。
【図２】図２は、図１の取り付け構造を構成する固定板が示された斜視図である。
【図３】図３（ａ）は本発明の他の実施形態に係る内装材への留め具の取り付け構造が示された正面図であり、図３（ｂ）はその側面図である。
【図４】図４（ａ）は本発明のさらに他の実施形態に係る内装材への留め具の取り付け構造が示された正面図であり、図４（ｂ）はその側面図である。
【図５】図５は、従来の留め具が壁に取り付けられている状況が示された側面図である。
【符号の説明】
【００４８】
２、１４・・・留め具
４・・・壁
６、１８・・・ねじ部
８、２０・・・フック部
１０・・・せっこうボード
１２・・・内装材
１６、２６、３２・・・固定板
２２、２８、３８・・・接触面
２４、３０、４０・・・誘導部
３４・・・タオル掛け
３６・・・ブラケット
４２・・・支柱
４４・・・挿通孔
【図１】
0005227067.tif 000002
【図２】
0005227067.tif 000003
【図３】
0005227067.tif 000004
【図４】
0005227067.tif 000005
【図５】
0005227067.tif 000006